(57)【要約】      （修正有）【課題】汎用性に優れ、荷物の収容が容易であると共に、搬送中の荷崩れを確実に防止することができる台車用カバーを提供する。【解決手段】手押し台車５０のハンドル部５２に起立状態で装着可能な装着部１２ａ，１２ｂを有する基部シート１０と、基部シート１０に連設され基部シート１０の両側に延出する一対の延出部２２，２２を有する被覆シートとを備え、ファスナ１４，１４を閉じることにより、基部シート１０および被覆シートが袋状体を構成し、紐状体２６により袋状体の開口部を引き絞る。【選択図】図２
0003172812.tif 000002
【実用新案登録請求の範囲】
【請求項１】
手押し台車による荷物の運搬に用いられる台車用カバーであって、
手押し台車のハンドル部に起立状態で装着可能な装着部を有する基部シートと、
前記基部シートに連設され、前記基部シートの両側に延出する一対の延出部を有する被覆シートとを備え、
前記基部シートは、起立状態での両側縁部が、一対の前記延出部の隣接する縁部に、ファスナを介してそれぞれ着脱可能とされており、
前記被覆シートは、前記ファスナ以外の周縁部に挿通路が形成され、前記挿通路に紐状体が挿通されており、
前記ファスナを閉じることにより、前記基部シートおよび被覆シートが袋状体を構成し、前記紐状体により前記袋状体の開口部を引き絞ることができるように構成された台車用カバー。
【請求項２】
前記被覆シートは、前記袋状体の上方に搭載した被搬送物を固定する締結ベルトを備える請求項１に記載の台車用カバー。
【請求項３】
前記基部シートは、前記被覆シートを折り畳んで収納可能な収納袋を備える請求項１または２に記載の台車用カバー。
【請求項４】
前記被覆シートは、前記袋状体の底部に相当する箇所に複数の補強シートを備えており、隣接する前記補強シート間で折り畳み可能に構成されている請求項１から３のいずれかに記載の台車用カバー。
【考案の詳細な説明】
【技術分野】
【０００１】
本考案は、手押し台車による荷物の運搬に用いられる台車用カバーに関する。
【背景技術】
【０００２】
従来の台車用カバーとして、例えば特許文献１に開示された構成が知られている。この台車用カバーは、６面体状に形成されており、台車の側枠に紐体等により取り付け可能とされている。台車用カバーの一側面は、ファスナーにより開閉自在とされており、この側面を介して荷物の収容や取出しを行うことができる。
【先行技術文献】
【特許文献】
【０００３】
【特許文献１】特開平８−３０１１１９号公報
【考案の概要】
【考案が解決しようとする課題】
【０００４】
ところが、上記従来の台車用カバーは、収容する荷物の量に拘わらず６面体状のカバーの内容積が一定であるため、荷物の量が少ない場合には、積み上げた荷物が荷崩れを起こしたり、カバーの形状維持が不安定になるおそれがあった。このため、台車用カバーには、台車の前記側枠に対向配置される別の側枠に装着可能な取付け片等が設けられているが、このような複数の側枠を有する台車にしか使用することができないという問題があった。
【０００５】
そこで、本考案は、汎用性に優れ、荷物の収容が容易であると共に、搬送中の荷崩れを確実に防止することができる台車用カバーの提供を目的とする。
【課題を解決するための手段】
【０００６】
本考案の前記目的は、手押し台車による荷物の運搬に用いられる台車用カバーであって、手押し台車のハンドル部に起立状態で装着可能な装着部を有する基部シートと、前記基部シートに連設され、前記基部シートの両側に延出する一対の延出部を有する被覆シートとを備え、前記基部シートは、起立状態での両側縁部が、一対の前記延出部の隣接する縁部に、ファスナを介してそれぞれ着脱可能とされており、前記被覆シートは、前記ファスナ以外の周縁部に挿通路が形成され、前記挿通路に紐状体が挿通されており、前記ファスナを閉じることにより、前記基部シートおよび被覆シートが袋状体を構成し、前記紐状体により前記袋状体の開口部を引き絞ることができるように構成された台車用カバーにより達成される。
【０００７】
この台車用カバーにおいて、前記被覆シートは、前記袋状体の上方に搭載した被搬送物を固定する締結ベルトを備えることが好ましい。
【０００８】
また、前記基部シートは、前記被覆シートを折り畳んで収納可能な収納袋を備えることが好ましい。
【考案の効果】
【０００９】
本考案の台車用カバーによれば、汎用性に優れ、荷物の収容が容易であると共に、搬送中の荷崩れを確実に防止することができる。
【図面の簡単な説明】
【００１０】
【図１】本考案の一実施形態に係る台車用カバーの平面図である。
【図２】図１に示す台車用カバーを手押し台車に取り付けた状態を示す斜視図である。
【図３】図１に示す台車用カバーの使用方法を説明するための正面図である。
【図４】図１に示す台車用カバーの他の使用方法を説明するための正面図である。
【図５】図１に示す台車用カバーの折り畳み方法を説明するための斜視図である。
【考案を実施するための形態】
【００１１】
以下、本考案の一実施形態について添付図面を参照しつつ説明する。図１は、本考案の一実施形態に係る台車用カバーの平面図である。図１に示すように、台車用カバー１は、基部シート１０と、基部シート１０に連設された被覆シート２０とを備えている。基部シート１０および被覆シート２０は、例えば、ポリエチレン等の合成樹脂シートにより一体成形することが可能であり、表面に撥水処理等が施されていることが好ましい。
【００１２】
基部シート１０は、上部裏面側および下部裏面側の左右縁部にベルト状の上装着部１２ａ，１２ａおよび下装着部１２ｂ，１２ｂを備えている。上装着部１２ａ，１２ａおよび下装着部１２ｂ，１２ｂは、面ファスナーやホック等により、手押し台車のハンドル部の上部および下部にそれぞれ装着することができる。基部シート１０の両側縁部には、ファスナーストリンガ１４ａ，１４ａが設けられており、表面には収納袋１６を備えている。
【００１３】
被覆シート２０は、基部シート１０の下端側に接続されており、基部シート１０の両側に延出する一対の延出部２２，２２を備えている。各延出部２２，２２は、基部シート１０のファスナーストリンガ１４ａ，１４ａと隣接する縁部にファスナーストリンガ１４ｂ，１４ｂを備えており、これらファスナーストリンガ１４ａ，１４ｂとスライダ１４ｃにより、スライド式のファスナ１４，１４を構成する。ファスナ１４，１４の構成は、このような線ファスナ以外に、点ファスナや面ファスナであってもよい。
【００１４】
被覆シート２０において、ファスナーストリンガ１４ｂ，１４ｂが取り付けられた箇所以外の周縁部には、袋状に折り返して形成された挿通路２４を有しており、この挿通路２４に紐状体２６が挿通されている。紐状体２６は、本実施形態では両端を結んで環状に形成されている。被覆シート２０の裏面側には、締結ベルト２８が設けられている。
【００１５】
上記の構成を備える台車用カバー１は、図２に示すように、基部シート１０の上装着部１２ａ，１２ａおよび下装着部１２ｂ，１２ｂを手押し台車５０のハンドル部５２に装着することにより、基部シート１０がハンドル部５２に沿って起立状態となる。この状態で、被覆シート２０は、手押し台車５０の床板５４の上面に沿って床板５４からはみ出すように拡げることができる。台車用カバー１を使用しない場合は、被覆シート２０を折り畳んで基部シート１０に沿って巻き上げることにより、被覆シート２０を収納袋１６に収納することが可能であり、取り扱いが容易である。被覆シート２０が床板５４に載置される箇所には、肉厚（例えば１ｍｍ程度）の樹脂シートからなる複数の補強シート２１，２１が、床板５４の前後方向に間隔をあけて着脱可能に設けられている。
【００１６】
次に、本実施形態の台車用カバー１の使用方法を説明する。まず、図３（ａ）に示すように、基部シート１０を手押し台車５０のハンドル部５２に取り付け、被覆シート２０が手押し台車５０の床板５４および車輪５６を覆うように拡げた状態で、床板５４の上に荷物Ｂを積み上げる。そして、ファスナ１４，１４のスライダ１４ｃ，１４ｃを引き上げて閉じることにより、基部シート１０の両側縁部が一対の延出部２２，２２とそれぞれ接合される。こうして、図３（ｂ）に示すように、基部シート１０および被覆シート２０により袋状体４０が構成され、挿通路２４が袋状体４０の開口４２の縁部を構成する。
【００１７】
次に、紐状体２６を挿通路２４から引き出す方向に引っ張ることにより、図３（ｃ）に示すように、袋状体４０の開口４２が引き絞られる。これにより、被覆シート２０が積み上げた荷物に沿って起立した状態になり、搬送中の荷崩れを確実に防止することができる。袋状体４０の底部には補強シート２１，２１が設けられているため、被覆シート２０の破れ等を防止することができる。
【００１８】
また、本実施形態の台車用カバー１は、脚立等のように手押し台車５０で搬送し難い長尺の荷物がある場合に、図４に示すように、この荷物Ｂを袋状体４０の上に載置して、締結ベルト２８，２８により固定することができるので、利便性を高めることができる。締結ベルト２８による固定方法は、特に限定されず、例えば、左右の締結ベルト２８，２８を単に結び付けるだけでもよく、或いは、面ファスナやバックル等を用いて締結するようにしてもよい。
【００１９】
台車用カバー１の不使用時は、補強シート２１を取り外して、上記のように被覆シート２０を収納袋１６に収納することが可能である。あるいは、図５（ａ）に示すように、補強シート２１，２１を装着したまま被覆シート２０を手押し台車５０の床板５４と略同じ大きさとなるように折り畳んだ後、図５（ｂ）に示すように隣接する補強シート２１，２１間で被覆シート２０を更に折り畳んで、図５（ｃ）に示すように基部シート１０に沿って起立させ、基部シート１０の背面側で固定させるようにしてもよく、これによって作業性をより高めることができる。
【符号の説明】
【００２０】
１  台車用カバー
１０  基部シート
１２ａ  上装着部
１２ｂ  下装着部
１４  ファスナー
１６  収納袋
２０  被覆シート
２１  補強シート
２２  延出部
２４  挿通路
２６  紐状体
２８  締結ベルト
４０  袋状体
４２  開口部
５０  手押し台車
５２  ハンドル部
【図１】
0003172812.tif 000003
【図２】
0003172812.tif 000004
【図３】
0003172812.tif 000005
【図４】
0003172812.tif 000006
【図５】
0003172812.tif 000007